【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
ウェアラブル装置であって、
第１の無線識別（ＲＦＩＤ）タグと、
第２のＲＦＩＤタグと、
ユーザにフィードバックを提供するように構成された１又は２以上のフィードバック装置と、
マイクロコントローラと、
を備え、前記マイクロコントローラは、
第１の周波数を有する電磁放射線と前記第１のＲＦＩＤタグとの間の相互作用に応答して、前記ウェアラブル装置がアトラクションのエリア内に存在することを示すタイプのフィードバックを前記１又は２以上のフィードバック装置を介して引き起こす制御信号を生成し、
前記第１のＲＦＩＤタグが前記第１の周波数を有する前記電磁放射線と相互作用している間に、第２の周波数を有する電磁放射線と前記第２のＲＦＩＤタグとの間の相互作用に応答して、前記エリア内の相互作用要素とのユーザ相互作用を示すさらなるタイプのフィードバックを前記１又は２以上のフィードバック装置を介して引き起こすさらなる制御信号を生成する、
ように構成される、
ことを特徴とするウェアラブル装置。
【請求項２】
前記第１の周波数を有する前記電磁放射線、前記第２の周波数を有する前記電磁放射線、又はこれらの両方からの電力を利用するように構成された電力捕獲回路を備える、
請求項１に記載のウェアラブル装置。
【請求項３】
前記利用される電力を蓄積するように構成されたエネルギー蓄積装置を備える、
請求項２に記載のウェアラブル装置。
【請求項４】
前記１又は２以上のフィードバック装置はスピーカを含み、前記タイプのフィードバックは、第１のタイプの可聴出力を含み、前記さらなるタイプのフィードバックは、第２のタイプの可聴出力を含む、
請求項１に記載のウェアラブル装置。
【請求項５】
前記１又は２以上のフィードバック装置は触覚フィードバック装置を含み、前記タイプのフィードバックは、第１のタイプの触覚出力を含み、前記さらなるタイプのフィードバックは、第２のタイプの触覚出力を含む、
請求項１に記載のウェアラブル装置。
【請求項６】
前記１又は２以上のフィードバック装置は、光を放出するように構成された１又は２以上の発光体を含み、前記タイプのフィードバックは、第１のタイプの照明を含み、前記さらなるタイプのフィードバックは、第２のタイプの照明を含む、
請求項１に記載のウェアラブル装置。
【請求項７】
前記第１のタイプの照明は、前記１又は２以上の発光体のうちの第１の発光体を点灯させることを含み、前記第２のタイプの照明は、前記１又は２以上の発光体のうちの第２の発光体を点灯させることを含む、
請求項６に記載のウェアラブル装置。
【請求項８】
前記第１のタイプの照明は第１の色を含み、前記第２のタイプの照明は、前記第１の色とは異なる第２の色を含む、
請求項６に記載のウェアラブル装置。
【請求項９】
前記第１のタイプの照明は、前記１又は２以上の発光体のうちの少なくとも１つを一定期間にわたって連続的に点灯させることを含み、前記第２のタイプの照明は、前記１又は２以上の発光体のうちの少なくとも１つを一定期間にわたって断続的に点灯させて点滅させることを含む、
請求項６に記載のウェアラブル装置。
【請求項１０】
前記第１のＲＦＩＤタグは、極超短波（ＵＨＦ）電磁放射線を受け取るように構成され、前記第２のＲＦＩＤタグは、近距離無線通信（ＮＦＣ）電磁放射線を受け取るように構成される、
請求項１に記載のウェアラブル装置。
【請求項１１】
前記第１のＲＦＩＤタグは、読み込み／書き込みＲＦＩＤタグであり、前記マイクロコントローラは、前記第１のＲＦＩＤタグにデータが書き込まれたことに応答して、前記１又は２以上のフィードバック装置を介して別のタイプのフィードバックを引き起こす別の制御信号を生成するように構成される、
請求項１に記載のウェアラブル装置。
【請求項１２】
前記マイクロコントローラは、前記第１の周波数を有する前記電磁放射線と前記第１のＲＦＩＤタグとの間の相互作用、及び前記第２の周波数を有する前記電磁放射線と前記第２のＲＦＩＤタグとの間の相互作用、又はこれらの両方に応答して、前記相互作用要素及び前記アトラクション内の他の相互作用要素との総ユーザ相互作用回数を示す別のタイプのフィードバックを引き起こす別の制御信号を生成するように構成される、
請求項１に記載のウェアラブル装置。
【請求項１３】
システムであって、
第１の識別情報を記憶する第１のメモリを含む第１の無線識別（ＲＦＩＤ）タグを含むウェアラブル装置と、
アトラクションのエリアに関連する第１のリーダであって、該第１のリーダが前記第１のメモリから前記第１の識別情報を読み取ることを可能にする第１の周波数を有する電磁放射線を送信するように構成された第１のリーダと、
前記ウェアラブル装置によって支持され、第２の識別情報を記憶する第２のメモリを含む第２のＲＦＩＤタグと、
前記アトラクションの前記エリア内の相互作用要素に関連する第２のリーダであって、該第２のリーダが前記第２のメモリから前記第２の識別情報を読み取ることを可能にする第２の周波数を有する電磁放射線を送信するように構成された第２のリーダと、
前記ウェアラブル装置によって支持された１又は２以上の発光体と、
前記ウェアラブル装置によって支持されたマイクロコントローラと、
を備え、前記マイクロコントローラは、
前記第１の周波数を有する前記送信された電磁放射線が前記第１のＲＦＩＤタグにおいて受け取られたことを示す信号を受け取り、
前記第２の周波数を有する前記送信された電磁放射線が前記第２のＲＦＩＤタグにおいて受け取られたことを示すさらなる信号を受け取り、
前記信号が受け取られたことに応答して、前記ウェアラブル装置が前記アトラクションの前記エリア内に存在することを示すタイプの前記１又は２以上の発光体の照明を引き起こす制御信号を生成し、
前記信号を受け取っている間に前記さらなる信号が受け取られたことに応答して、前記エリア内の前記相互作用要素とのユーザ相互作用を示すさらなるタイプの前記１又は２以上の発光体の照明を引き起こすさらなる制御信号を生成する、
ように構成される、
ことを特徴とするシステム。
【請求項１４】
前記第１の周波数を有する前記送信された電磁放射線、前記第２の周波数を有する前記送信された電磁放射線、又はこれらの両方からの電力を利用するように構成された、前記ウェアラブル装置の電力捕獲回路を備え、前記１又は２以上の発光体及び前記マイクロコントローラは、前記電力を利用するように構成される、
請求項１３に記載のシステム。
【請求項１５】
前記第１のリーダは、前記第１のＲＦＩＤタグの前記第１のメモリに遊園地の乗り物の待ち時間を示すデータを書き込むように構成され、前記制御信号は、前記１又は２以上の発光体のうちの前記少なくとも１つを、前記待ち時間を示すパターンで点灯させる、
請求項１３に記載のシステム。
【請求項１６】
前記第２のリーダは、前記相互作用要素内に又は該相互作用要素に近接して配置され、前記第１のリーダは、前記相互作用要素から離れた異なる場所に配置される、
請求項１３に記載のシステム。
【請求項１７】
それぞれが前記アトラクションのそれぞれのさらなる相互作用要素に関連する複数のさらなる第２のリーダであって、該複数のさらなる第２のリーダの各々が前記第２のメモリから前記第２の識別情報を読み取ることを可能にする前記第２の周波数を有する電磁放射線を送信するように構成された複数のさらなる第２のリーダと、
前記第１のリーダ、前記第２のリーダ及び前記複数のさらなる第２のリーダに通信可能に結合されたコンピュータシステムと、
を備え、前記コンピュータシステムは、前記第２のリーダと前記第２のＲＦＩＤタグとの間、及び前記複数のさらなる第２のリーダと前記第２のＲＦＩＤタグとの間の総ユーザ相互作用回数に基づいて、前記相互作用要素及び前記さらなる相互作用要素との総ユーザ相互作用回数を決定するように構成されるとともに、前記コンピュータシステムは、前記第１のリーダ、前記第２のリーダ及び前記複数のさらなる第２のリーダのうちの少なくとも１つに、前記第１のＲＦＩＤタグ又は前記第２のＲＦＩＤタグのそれぞれに対する前記総ユーザ相互作用回数を示すデータを書き込むように命令するよう構成され、
前記１又は２以上の発光体は複数の発光体を含み、前記マイクロコントローラは、前記データに基づいて、前記相互作用要素及び前記さらなる相互作用要素との総ユーザ相互作用回数を示す数の前記複数の発光体の照明を引き起こす別の制御信号を生成するように構成される、
請求項１３に記載のシステム。
【請求項１８】
アトラクションのエリア内の第１のリーダから第１の周波数を有する電磁放射線を送信するステップと、
前記第１の周波数を有する前記送信された電磁放射線が受け取られたことに応答して、ウェアラブル装置によって支持された第１の無線識別（ＲＦＩＤ）タグから前記第１のリーダに識別情報を送信するステップと、
前記ウェアラブル装置によって支持されたマイクロコントローラにおいて、前記第１の周波数を有する前記電磁放射線が前記第１のＲＦＩＤタグにおいて受け取られたことを示す信号を前記第１のＲＦＩＤタグから受け取るステップと、
前記マイクロコントローラを使用して、前記マイクロコントローラにおいて前記信号が受け取られたことに応答して、前記ウェアラブル装置によって支持された１又は２以上の発光体の複数の利用可能なタイプの照明のうちの、前記ウェアラブル装置が前記アトラクションの前記エリア内に存在することを示す照明を引き起こす制御信号を生成するステップと、
第２のリーダから第２の周波数を有する電磁放射線を送信するステップと、
前記マイクロコントローラにおいて、前記ウェアラブル装置によって支持された第２のＲＦＩＤタグから、該第２のＲＦＩＤタグにおいて前記第２の周波数を有する電磁放射線が受け取られたことを示すさらなる信号を受け取るステップと、
前記マイクロコントローラを使用して、前記マイクロコントローラにおいて前記信号を受け取っている間に前記マイクロコントローラにおいて前記さらなる信号が受け取られたことに応答して、前記ウェアラブル装置によって支持された前記１又は２以上の発光体の前記複数の利用可能なタイプの照明のうちの、前記エリア内の相互作用要素とのユーザ相互作用を示すさらなる照明を引き起こすさらなる制御信号を生成するステップと、
を含むことを特徴とする方法。
【請求項１９】
前記ウェアラブル装置の電力捕獲回路を使用して、前記第１の周波数を有する前記送信された電磁放射線、前記第２の周波数を有する前記送信された電磁放射線又はこれらの両方から電力を捕獲し、該捕獲された電力を利用して前記マイクロコントローラ及び前記１又は２以上の発光体を動作させるステップを含む、
請求項１８に記載の方法。
【請求項２０】
前記マイクロコントローラがアクセスできるメモリに、前記相互作用要素及び前記アトラクションの他の相互作用要素との総ユーザ相互作用回数を示すデータを書き込むステップと、
前記マイクロコントローラを使用して、前記メモリに前記データが書き込まれたことに応答して、前記１又は２以上の発光体の前記複数の利用可能なタイプの照明のうちの、前記相互作用要素及び前記アトラクションの前記他の相互作用要素との前記総ユーザ相互作用回数を示すさらなる照明を引き起こす別のさらなる制御信号を生成するステップと、
を含む、請求項１８に記載の方法。